(57)【要約】【課題】第一日車と第二日車を有し、操作性の良いカレンダ機構付き時計を提供する。【解決手段】本発明のカレンダ機構付き時計は、第一日車の回転に基づいて移動して第二日車を回転させる第二日車送りレバー３７０を備える。第一日車５１２は、第一日車歯部５１６と、カレンダ桁送り歯とを含む。カレンダ桁送り歯は、第１カレンダ桁送り歯５１８ａと、第１カレンダ桁送り歯を基準として、第一の方向に（３６０＊２／３１）度の間隔で形成された第２カレンダ桁送り歯５１８ｂと、第２カレンダ桁送り歯を基準として、前記第一の方向に（３６０＊９／３１）度の間隔で形成された第３カレンダ桁送り歯５１８ｃと、第１カレンダ桁送り歯を基準として、前記第一の方向と反対の方向に（３６０＊１０／３１）度の間隔で形成された第４カレンダ桁送り歯５１８ｄとからなる。【選択図】図１
2010169582.tif 000002
【特許請求の範囲】
【請求項１】
２つの日車を有するカレンダ機構付き時計において、
日付のうちの一の位を表示する第一日車（５１２）と、
第一日車（５１２）の回転方向の位置を規正するための第一日ジャンパ（５１４）と、  日付のうちの十の位を表示する第二日車（５２２）と、
第二日車（５２２）の回転方向の位置を規正するための第二日ジャンパ（５２４）と、
第一日車（５１２）の回転に基づいて移動して第二日車（５２２）を回転させることができるように構成された第二日車送りレバー（３７０）とを備え、
第一日車（５１２）の回転中心と、第二日車（３２２）の回転中心は同一の位置にあるように配置され、
第一日車（５１２）は、内歯として形成された３１個の第一日車歯部（５１６）と、内歯として形成された４個のカレンダ桁送り歯（５１８ａ〜５１８ｄ）とを含み、第一日車歯部（５１６）は、等しい角度の間隔で形成され、カレンダ桁送り歯（５１８ａ〜５１８ｄ）は、基準となる第１カレンダ桁送り歯（５１８ａ）と、第１カレンダ桁送り歯（５１８ａ）を基準として、第一の方向（例えば、時計回り方向）に（３６０＊２／３１）度の間隔で形成された第２カレンダ桁送り歯（５１８ｂ）と、第２カレンダ桁送り歯（５１８ｂ）を基準として、前記第一の方向（例えば、時計回り方向）に（３６０＊９／３１）度の間隔で形成された第３カレンダ桁送り歯（５１８ｃ）と、第１カレンダ桁送り歯（５１８ａ）を基準として、前記第一の方向と反対の方向（例えば、反時計回り方向）に（３６０＊１０／３１）度の間隔で形成された第４カレンダ桁送り歯（５１８ｄ）とからなる、
ことを特徴とするカレンダ機構付き時計。
【請求項２】
第二日車送りレバー（５７０）は、第一日車（５１２）の回転に基づいて第二日車（５２２）に向かって移動し、ばね力により元の位置に戻されるように構成されることを特徴とする、請求項１に記載のカレンダ機構付き時計。
【請求項３】
第二日車送りレバー（５７０）は、第二日車送りレバーガイドピン（５７１、５７３）に案内されて移動するように構成されることを特徴とする、請求項２に記載のカレンダ機構付き時計。
【請求項４】
第二日車（５６２）が過剰回転することを防止するための度当りピン（２６４Ｄ）を備え、第二日車（５６２）が過剰回転したときに、第二日車送りレバー（３７０）は、前記度当りピン（２６４Ｄ）と接触することができるようになっていることを特徴とする、請求項１に記載のカレンダ機構付き時計。
【発明の詳細な説明】
【技術分野】
【０００１】
本発明は、日付のうちの一の位を表示する第一日車と、日付のうちの十の位を表示する第二日車とを含むカレンダ機構付き時計に関する。
【背景技術】
【０００２】
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。
【０００３】
一般に、「１２時側」とは、アナログ式時計において、文字板の１２時に対応する目盛が配置されている方の側を示す。「１２時方向」とは、アナログ式時計において、指針の回転中心から「１２時側」に向かう方向を示す。また、「３時側」とは、アナログ式時計において、文字板の３時に対応する目盛が配置されている方の側を示す。「３時方向」とは、アナログ式時計において、指針の回転中心から「３時側」に向かう方向を示す。また、「６時側」とは、アナログ式時計において、文字板の６時に対応する目盛が配置されている方の側を示す。「６時方向」とは、アナログ式時計において、指針の回転中心から「６時側」に向かう方向を示す。また、「９時側」とは、アナログ式時計において、文字板の９時に対応する目盛が配置されている方の側を示す。「９時方向」とは、アナログ式時計において、指針の回転中心から「９時側」に向かう方向を示す。さらに、「２時方向」、「２時側」のように、その他の文字板の目盛が配置されている方の側を示すことがある。
【０００４】
従来の第一タイプのカレンダ機構付き時計は、大型窓を有する文字盤と、１つの「１」の数字と、３組の「１」から「９」および「０」の数字を含む３１個の数字を配置し、かつ４本の歯を設けた１の位用回転体（すなわち、第一日車）を備え、さらに、４本の歯を有する１０の位用星形板と、「０」、「１」、「２」、「３」の数字を配置した１０の位用回転体（すなわち、第二日車）を備えている。１の位用回転体（すなわち、第一日車）が、直接、１０の位用回転体（すなわち、第二日車）を回転させている（例えば、特許文献１参照）。
【０００５】
従来の第二タイプのカレンダ機構付き時計は、日付の一の位を表示する第１日板（すなわち、第一日車）と、日付の十の位を表示する第２日板（すなわち、第二日車）と、第１日板を駆動する日送り車と、第１日板に設けられた送り爪と、送り爪に駆動される中間車と、第１日板を送り途中から回転させ安定位置に留める第１躍制レバーと、第２日板を送り途中から回転させ安定位置に留める第２躍制レバーとを含む。第１日板（すなわち、第一日車）には、２組の「１」から「９」および「０」の数字を含む２０個の数字が配置されている（例えば、特許文献２参照）。
【０００６】
従来の第三タイプのカレンダ機構付き時計は、日付のうちの一の位を表示する第一日車と、第一日車の回転方向の位置を規正するための第一日ジャンパと、日付のうちの十の位を表示する第二日車と、第二日車の回転方向の位置を規正するための第二日ジャンパと、第一日車の回転に基づいて回転して第二日車を回転させることができる日中間車とを備える。時刻情報を表示するための指針はステップモータにより作動され、第一日車は、超音波モータにより作動される（例えば、特許文献３参照）。
【０００７】
従来の第四タイプのカレンダ機構付き時計においては、第一日板に設けた桁上がり歯が２つの日中間歯車を介して第二日板させている。日付の切り替えは、４０歯を有する第一日板の歯を２歯送る構成にしている（例えば、特許文献４参照）。
【０００８】
従来の第五タイプのカレンダ機構付き時計は、それぞれが数字群配列を担持する２つの動体を備える。第二の動体はジャンパによって保持された星形を介して第一の動体によって駆動される。日付けの変更の際にジャンパが星形の１つの歯から非隣接歯に跳ぶのを阻止するように突出要素が配置されている。突出要素は、スライダ内を変位するようになっている（例えば、特許文献５参照）。
【先行技術文献】
【特許文献】
【０００９】
【特許文献１】特許第３３９００２１号
【特許文献２】特開２０００−３１４７７９号公報
【特許文献３】特開２００５−２１４８３６号公報
【特許文献４】特開２０００−２９２５５７号公報
【特許文献５】特表２００６−５２２３２３号公報
【発明の概要】
【発明が解決しようとする課題】
【００１０】
従来の第一タイプのカレンダ機構付き時計は、「１」の数字と、３組の「１」から「９」および「０」の数字を含む３１個の数字を配置した１の位用回転体を備えているので、月末にカレンダ機構を修正しなければならない時は、２月、４月、６月、９月、１１月のそれぞれ月末である。すなわち、カレンダ機構を修正しなければならない回数は、年に５回である。しかしながら、従来の第一タイプのカレンダ機構付き時計では、１の位用回転体が、直接、１０の位用回転体を回転させるので、１の位用回転体と、１０の位用回転体とが同じ回転中心をもつように配置することができなかった。したがって、この構造では、２つの回転体を設計するとき、２つの回転体により日付を表示することができる位置に、制約が生じていた。
【００１１】
従来の第二タイプのカレンダ機構付き時計においては、日を修正するときに、第一日車を過剰回転させ、第一日車と第二日車の位相がずれるおそれがあった。この構成では、正確な日を表示することができないおそれがあった。このような不具合を防止するには、第一日車の慣性力に負けないような大きい日ジャンパの抑制力（すなわち、第二日ジャンパの力）を必要としていた。したがって、従来の第三タイプのカレンダ機構付き時計においては、日車を送る輪列に加えられる作動力を大きくする必要があり、時計のサイズや厚さが大きくなる課題があった。
【００１２】
従来の第三タイプのカレンダ機構付き時計は、ステップモータと、超音波モータを含むので、日送り機構が厚くなり、モータ駆動回路が複雑でＩＣサイズが大きくなり、多くの電子部品が必要になっている。
【００１３】
従来の第四タイプのカレンダ機構付き時計では、第１日板には、２組の「０」、「１」〜「９」の数字、すなわち、２０個の数字が配置されている。したがって、月末にカレンダ機構を修正しなければならない時は、毎月のそれぞれ月末である。すなわち、カレンダ機構を修正しなければならない回数は、年に１２回である。
【００１４】
従来の第五タイプのカレンダ機構付き時計においては、突出要素はジャンパと一体に構成されている。使用者がりゅうずを回転させて日の表示を修正する場合、ジャンパが歯部に追従したときに、突出要素はスライダ外壁に接触せず、過剰回転（すなわち、数字群配列を担持する日表示動体が、回転時の慣性により回転しすぎてしまうこと、いわゆる「過回転」すること）が発生するおそれがあった。
【００１５】
本発明の目的は、日付のうちの一の位を表示する第一日車と、日付のうちの十の位を表示する第二日車とを含むカレンダ機構付き時計において、月末にカレンダ機構を修正しなければならない回数を増すことがない、操作性の良いカレンダ機構付き時計を提供することにある。
また、本発明の他の目的は、日付のうちの一の位を表示する第一日車と、日付のうちの十の位を表示する第二日車とを含むカレンダ機構付き時計において、第一日車の回転中心と、第二日車の回転中心を同じ位置に配置して、大きい文字の日付を確実に表示することができ、薄型でデザインの制約が少ないカレンダ機構付き時計を提供することにある。
また、本発明の更なる目的は、第一日車および第二日車を含むカレンダ機構付き時計において、日を修正するときに第二日車の過剰回転の発生を防止することができるように構成したカレンダ機構付き時計を提供することにある。
【課題を解決するための手段】
【００１６】
本発明は、２つの日車を有するカレンダ機構付き時計において、日付のうちの一の位を表示する第一日車と、第一日車の回転方向の位置を規正するための第一日ジャンパと、日付のうちの十の位を表示する第二日車と、第二日車の回転方向の位置を規正するための第二日ジャンパと、第一日車の回転に基づいて移動して第二日車を回転させることができるように構成された第二日車送りレバーとを備える。第一日車の回転中心と、第二日車の回転中心は同一の位置にあるように配置される。
【００１７】
本発明のカレンダ機構付き時計において、第一日車は、内歯として形成された３１個の第一日車歯部と、内歯として形成された４個のカレンダ桁送り歯とを含み、第一日車歯部は、等しい角度の間隔で形成され、カレンダ桁送り歯は、基準となる第１カレンダ桁送り歯と、第１カレンダ桁送り歯を基準として、第一の方向（例えば、時計回り方向）に（３６０＊２／３１）度の間隔で形成された第２カレンダ桁送り歯と、第２カレンダ桁送り歯を基準として、前記第一の方向（例えば、時計回り方向）に（３６０＊９／３１）度の間隔で形成された第３カレンダ桁送り歯と、第１カレンダ桁送り歯を基準として、前記第一の方向と反対の方向（例えば、反時計回り方向）に（３６０＊１０／３１）度の間隔で形成された第４カレンダ桁送り歯とからなる。この構成により、月末にカレンダ機構を修正しなければならない回数を増すことはないので、操作性が良い。また、本発明のカレンダ機構付き時計は、大きい文字の日付を確実に表示することができ、しかも、薄型でデザインの制約は少ない。
【００１８】
本発明のカレンダ機構付き時計において、第二日車送りレバーは、第一日車の回転に基づいて第二日車に向かって移動し、ばね力により元の位置に戻されるように構成されるのがよい。この構成により、薄型のカレンダ機構付き時計を実現することができる。
【００１９】
本発明のカレンダ機構付き時計において、第二日車送りレバーは、第二日車送りレバーガイドピンに案内されて移動するように構成されるのが好ましい。この構成により、カレンダ機構の作動が確実な薄型のカレンダ機構付き時計を実現することができる。
【００２０】
本発明のカレンダ機構付き時計において、第二日車が過剰回転することを防止するための度当りピンを備え、第二日車が過剰回転したときに、第二日車送りレバーは、前記度当りピンと接触することができるように構成されるのが好ましい。この構成により、使用者がりゅうずを回転させて日の表示を修正するときに第二日車の過剰回転の発生を防止することができるので、第一日車と第二日車の位相がずれるおそれがない。
【００２１】
次に、日付の表示を「３１」から「０１」に変えるときの作動を説明する。日回し車が回転することによる日送り爪の回転により、第一日車が回転する。第一日車の第２カレンダ桁送り歯は、第二日車送りレバーのレバー送り作動部に接触する。第二日車送りレバーの第二日車送り部が第二日星車の位置決め歯部に接触すると、第二日車は回転する。第二日車送りレバーは第二日星車の位置決め歯部を回転させ、第二日ジャンパの力によって第二日車が１ピッチ回転し、第二日文字のうちの「０」が、文字板に設けられた日窓の左側の部分に配置される。第一日ジャンパの力によって第一日車が１ピッチ回転し、第一日文字のうちの「１」が、文字板に設けられた日窓の右側の部分に配置される。
【００２２】
つぎに、日付の表示を「０１」から「０２」に変えるときの作動を説明する。第一日ジャンパの力によって第一日車が１ピッチ回転し、第一日文字のうちの「１」のとなりにある次の「２」が、文字板に設けられた日窓の右側の部分に配置される。この作動のとき、第二日車は回転しない。すなわち、第二日文字のうちの「０」は、文字板に設けられた日窓の左側の部分に配置されたままである。
【００２３】
つぎに、日付の表示を「０９」から「１０」に変えるときの作動を説明する。日回し車が回転することにより、日送り爪も回転する。日送り爪の回転により、第一日車が回転すると、第一日車の第２カレンダ桁送り歯は、第二日車送りレバーのレバー送り作動部に接触する。第二日車送りレバーの第二日車送り部が第二日星車の位置決め歯部に接触すると、第二日車は回転する。第二日車送りレバーは第二日星車の位置決め歯部を回転させ、第二日ジャンパの力によって第二日車が１ピッチ回転し、第二日文字のうちの「１」が、文字板に設けられた日窓の左側の部分に配置される。日送り爪が更に回転することにより、第一日ジャンパの力によって第一日車が１ピッチ回転し、第一日文字のうちの「０」が、文字板に設けられた日窓の右側の部分に配置される。
【発明の効果】
【００２４】
本発明のカレンダ機構付き時計は、日付のうちの一の位を表示する第一日車と、日付のうちの十の位を表示する第二日車とを含むカレンダ機構付き時計において、月末にカレンダ機構を修正しなければならない回数を増すことがなく、操作性が良い。また、本発明のカレンダ機構付き時計は、大きい文字の日付を確実に表示することができ、しかも、薄型でデザインの制約は少ない。また、本発明のカレンダ機構付き時計は、使用者がりゅうずを回転させて日の表示を修正するときに第二日車の過剰回転の発生を防止することができ、第一日車と第二日車の位相がずれるおそれがない。
【図面の簡単な説明】
【００２５】
【図１】本発明のカレンダ機構付き時計の第１の実施形態において、ムーブメントを文字板側から見たときの構造を示す概略平面図である。
【図２】本発明のカレンダ機構付き時計の第１の実施の形態において、ムーブメントを裏蓋側から見たときの輪列の構造を示す概略平面図である。
【図３】本発明のカレンダ機構付き時計の第１の実施形態において、表輪列と、カレンダ機構の一部分の構造を示す部分断面図である。
【図４】本発明のカレンダ機構付き時計の第１の実施形態において、ムーブメントを文字板側から見たときカレンダ機構の一部分の構造を示す拡大部分平面図である。
【図５】本発明のカレンダ機構付き時計の第１の実施形態において、文字板の１２時方向に日窓を配置した構成における第一日車を示す平面図である。
【図６】本発明のカレンダ機構付き時計の第１の実施形態において、文字板の１２時方向に日窓を配置した構成における第二日車を示す平面図である。
【図７】本発明のカレンダ機構付き時計の第１の実施形態において、文字板の１２時方向に日窓を配置した構成におけるコンプリートを示す平面図である。
【図８】本発明のカレンダ機構付き時計の第１の実施形態において、文字板の６時方向に日窓を配置した構成における第一日車を示す平面図である。
【図９】本発明のカレンダ機構付き時計の第１の実施形態において、文字板の６時方向に日窓を配置した構成における第二日車を示す平面図である。
【図１０】本発明のカレンダ機構付き時計の第１の実施形態において、文字板の６時方向に日窓を配置した構成におけるコンプリートを示す平面図である。
【図１１】本発明のカレンダ機構付き時計の第１の実施形態において、文字板の３時方向に日窓を配置した構成における第一日車を示す平面図である。
【図１２】本発明のカレンダ機構付き時計の第１の実施形態において、文字板の３時方向に日窓を配置した構成における第二日車を示す平面図である。
【図１３】本発明のカレンダ機構付き時計の第１の実施形態において、文字板の３時方向に日窓を配置した構成におけるコンプリートを示す平面図である。
【図１４】本発明のカレンダ機構付き時計の第１の実施形態において、第一日車を回転させる前の状態における、文字板側から見たムーブメントの裏側の構造を示す部分平面図である。
【図１５】本発明のカレンダ機構付き時計の第１の実施形態において、第一日車が正方向に回転を開始している状態における、文字板側から見たムーブメントの裏側の構造を示す部分平面図である。
【図１６】本発明のカレンダ機構付き時計の第１の実施形態において、第一日車および第二日車が正方向に回転しつつある状態で、かつ、第二日車の歯先が第二日ジャンパの頂点と接触している状態における、文字板側から見たムーブメントの裏側の構造を示す部分平面図である。
【図１７】本発明のカレンダ機構付き時計の第１の実施形態において、第一日車が正方向に回転しつつある状態で、かつ、第二日車が正方向に１ピッチ回転した状態における、文字板側から見たムーブメントの裏側の構造を示す部分平面図である。
【図１８】本発明のカレンダ機構付き時計の第１の実施形態において、第一日車の歯部先端が第一日ジャンパの頂点と接触している状態における、文字板側から見たムーブメントの裏側の構造を示す部分平面図である。
【図１９】本発明のカレンダ機構付き時計の第１の実施形態において、第一日車が正方向に回転しつつある状態で、かつ、第二日車送りレバーが最大限に移動した状態における、文字板側から見たムーブメントの裏側の構造を示す部分平面図である。
【図２０】本発明のカレンダ機構付き時計の第１の実施形態において、第一日車が正方向に１ピッチ回転し、第二日車が正方向に１ピッチ回転した状態における、文字板側から見たムーブメントの裏側の構造を示す部分平面図である。
【図２１】本発明のカレンダ機構付き時計の第１の実施形態において、動力機構、脱進機構、調速機構、表輪列、カレンダ機構などを示すブロック図である。
【図２２】本発明のカレンダ機構付き時計の第１の実施形態において、切換機構、修正機構を示す部分平面図である。
【図２３】本発明のカレンダ機構付き時計の第１の実施形態において、第二日車が過剰回転して第二日車の歯部が第二日車送りレバーの背面に接触した状態を示す部分平面図である。
【図２４】本発明のカレンダ機構付き時計の第２の実施形態において、第二日車が過剰回転して第二日車の位置決め歯部が第二日車送りレバーの背面に接触し、かつ、第二日車送りレバーが、日車押えに設けた度当りピンに接触した状態を示す部分平面図である。
【図２５】本発明のカレンダ機構付き時計の第３の実施の形態において、電子時計で構成したムーブメントを裏蓋側から見たときの構造を示す概略平面図である。
【発明を実施するための形態】
【００２６】
（１）第１の実施の形態：
以下に、本発明のカレンダ機構付き時計の第１の実施の形態を図面に基づいて説明する。以下に説明する本発明の実施形態は、カレンダ機構付き時計を機械式時計で構成したときの実施形態である。以下の説明は、本発明のカレンダ機構付き時計を機械式時計に適用した構成について説明しているけれども、本発明は、機械式時計だけでなく、アナログ電子時計にも適用することができる。すなわち、本明細書における「カレンダ機構付き時計」という概念は、「機械式時計」も含み、「アナログ電子時計」も含み、かつ、他のすべての作動原理のアナログ時計も含む概念である。
【００２７】
（１・１）ムーブメントの全体構成：
図１から図３および図２２を参照すると、ムーブメント１００は機械式時計で構成される。ムーブメント１００は、ムーブメント１００の基板を構成する地板１０２を含む。文字板１０４がムーブメント１００のガラス側に取付けられる。巻真１１０が、地板１０２に回転可能に組み込まれる。切換装置は、巻真１１０と、おしどり１２０と、かんぬき１２２と、かんぬき押え１２４とを含む。規正装置は、てんぷ規正レバー１７０と、てんぷ規正ピン１７０Ａとを含む。てんぷ規正ピン１７０Ａは、てんぷ規正レバー１７０に固定するのがよい。
【００２８】
（１・２）ムーブメントの表側の構成：
次に、ムーブメントの表側の構成について説明する。図２、図３、図２１および図２２を参照すると、ムーブメント（機械体）１００は、ムーブメントの基板を構成する地板１０２を有する。ムーブメントの「３時方向」には、巻真１１０が配置されている。巻真１１０が、地板１０２の巻真案内穴に回転可能に組み込まれる。文字板１０４がムーブメント１００に取付けられる。文字板受リング１０５が文字板１０４と地板１０２の間に配置される。てんぷ３４０、がんぎ車３３０、アンクル３４２を含む脱進・調速装置と、四番車３２７、三番車３２６、二番車３２５、香箱車３２０を含む表輪列は、ムーブメント１００の「表側」に配置される。おしどり１２０、かんぬき１２２、かんぬき押さえ１２４を含む切換装置は、ムーブメント１００の「裏側」に配置される。さらに、香箱車３２０の上軸部を回転可能なように支持する香箱受（図示せず）と、三番車３２６の上軸部、四番車３２７の上軸部、がんぎ車３３０の上軸部を回転可能なように支持する輪列受（図示せず）と、アンクル３４２の上軸部を回転可能なように支持するアンクル受（図示せず）と、てんぷ３４０の上軸部を回転可能なように支持するてんぷ受（図示せず）とが、ムーブメント１００の「表側」に配置される。
【００２９】
丸穴車（図示せず）が、きち車１１６の回転により回転するように構成される。丸穴伝え車（図示せず）が、丸穴車の回転により回転するように構成される。揺動丸穴車（図示せず）が、丸穴伝え車の回転により回転するように構成される。角穴車（図示せず）が、揺動丸穴車の回転により回転する。香箱車３２０は、香箱歯車と、香箱真と、ぜんまいとを備える。角穴車が回転することにより、香箱車３２０に収容されたぜんまいを巻き上げるように構成される。
【００３０】
二番車３２５が、香箱車３２０の回転により回転するように構成される。二番車３２５は二番歯車と、二番かなとを含む。香箱歯車は二番かなと噛み合うように構成される。三番車３２６が二番車３２５の回転により回転するように構成される。三番車３２６は三番歯車と、三番かなとを含む。四番車３２７が、三番車３２６の回転により１分間に１回転するように構成される。四番車３２７は四番歯車と、四番かなとを含む。三番歯車は四番かなと噛み合うように構成される。四番車３２７の回転により、がんぎ車３３０は、アンクル３４２に制御されながら回転するように構成される。がんぎ車３３０は、がんぎ歯車と、がんぎかなとを含む。四番歯車は、がんぎかなと噛み合うように構成される。分車３２９が、香箱車３２０の回転により回転するように構成される。香箱車３２０、二番車３２５、三番車３２６、四番車３２７、分車３２９は表輪列を構成する。表輪列の回転を制御するための脱進・調速装置は、てんぷ３４０と、がんぎ車３３０と、アンクル３４２とを含む。がんぎ車３３０と、アンクル３４２と、てんぷ３４０は脱進・調速装置を構成する。てんぷ３４０は、てん真と、てん輪と、ひげぜんまいとを含む。ひげぜんまいは、複数の巻き数をもった、うずまき状（螺旋状）の形態の薄板ばねである。てんぷ３４０は、地板１０２、及び、てんぷ受に対して回転可能なように支持される。
【００３１】
香箱車３２０は、地板１０２及び香箱受に対して回転可能なように支持される。二番車３２５は、地板１０２及び二番受（図示せず）に対して回転可能なように支持される。三番車３２６の下軸部、がんぎ車３３０の下軸部は、地板１０２に対して、回転可能に支持される。三番車３２６の上軸部、四番車３２７の上軸部、がんぎ車３３０の上軸部は、輪列受（図示せず）に対して、回転可能に支持される。分車３２９は、二番受（図示せず）に固定された中心パイプ１０３の外径部に回転可能に支持される。四番車３２７の下軸部は、二番受（図示せず）に固定された中心パイプ１０３の中心穴の中に回転可能に支持される。アンクル３４２は、地板１０２及びアンクル受３６４に対して回転可能なように支持される。アンクル３４２の上軸部は、アンクル受３６４に対して回転可能なように支持される。アンクル３４２の下軸部は、地板１０２に対して、回転可能に支持される。
【００３２】
分車３２９の回転に基づいて日の裏車１６６が回転するように構成される。日の裏車１６６の回転に基づいて筒車１８０が回転するように構成される。二番車３２５の回転により、三番車３２６の回転を介して、四番車３２７は１分間に１回転するように構成される。筒車１８０は１２時間に１回転するように構成される。三番車３２６の回転により、分車３２９が回転するように構成される。スリップ機構が分車３２９に設けられる。分車３２９は１時間に１回転するように構成される。
【００３３】
（１・３）切換装置の構成：
次に、切換装置の構成について説明する。図１から図３及び図２２を参照すると、巻真１１０は角部と、案内軸部とを有する。つづみ車１１４の角穴が巻真１１０の角部に組み込まれる。つづみ車１１４は巻真１１０の回転軸線と同一の回転軸線を有する。つづみ車１１４の角穴が巻真１１０の角部に嵌め合うことにより、巻真１１０の回転に基づいてつづみ車１１４が回転するように設けられている。つづみ車１１４は甲歯１１４Ａと、乙歯１１４Ｂとを有する。甲歯１１４Ａはムーブメントの中心に近い方のつづみ車１１４の端部に設けられる。乙歯１１４Ｂはムーブメントの中心から遠い方のつづみ車１１４の端部に設けられる。
【００３４】
きち車１１６が巻真１１０の案内軸部に回転可能に設けられる。きち車１１６は内側歯１１６Ａと、外側歯１１６Ｂとを有する。巻真１１０が、回転軸線方向に沿ってムーブメントの内側に一番近い方の第１の巻真位置（０段目）にある状態で、つづみ車１１４の乙歯１１４ｂは、きち車１１６の内側歯１１６Ａと噛み合っている。この状態では、巻真１１０を回転させると、つづみ車１１４の回転を介してきち車１１６が回転するように構成されている。巻真１１０が「１段目」及び「２段目」にある状態で、つづみ車１１４の乙歯１１４Ｂは、きち車１１６の内側歯１１６Ａと噛み合わないように構成されている。
【００３５】
おしどり１２０が地板１０２の裏側に回転可能に配置される。かんぬき１２２が地板１０２の裏側に回転可能に配置される。かんぬき１２２は、かんぬきばね部１２２Ａのばね力により、おしどり１２０の先端部に押し付けられるように付勢されている。かんぬき押さえ１２４がおしどり１２０及びかんぬき１２２を押さえるように設けられる。おしどり１２０に設けられたおしどり位置決めピンがかんぬき押さえ１２４のおしどり位置きめ山形部に係合し、かんぬき押さえ１２４により、おしどり１２０は、３つの回転方向の位置に位置決めされる。
【００３６】
おしどり１２０の巻真案内部が巻真１１０の段部に係合して、おしどり１２０の回転に基づいて巻真１１０の回転軸線方向の位置を決める。かんぬき１２２のつづみ車案内部がつづみ車１１４の段部に係合して、かんぬき１２２の回転に基づいてつづみ車１１４の回転軸線方向の位置を決める。おしどり１２０の回転に基づいて、かんぬき１２２は２つの回転方向の位置に位置決めされる。
【００３７】
巻真１１０が「０段目」にある状態では、つづみ車１１４はムーブメントの外側に近い方の第１の位置にあり、巻真１１０が「１段目」及び「２段目」にある状態で、つづみ車１１４はムーブメントの内側に近い第２の位置にあるように構成されている。
【００３８】
おしどり１２０、かんぬき１２２及びかんぬき押さえ１２４は、時計の切換装置を構成する。おしどり１２０及びかんぬき押さえ１２４のおしどり位置決め山形部は、巻真１１０の回転軸線方向の位置を決める巻真位置決め手段を構成する。かんぬき１２２は、おしどり１２０及びかんぬき押さえ１２４の作動に基づいて作動するつづみ車位置決め手段を構成する。
【００３９】
小鉄車１２８の回転中心を構成する小鉄車ピン１０２Ｃが、地板１０２の裏側で巻真１１０の回転軸線上に設けられる。小鉄車１２８が小鉄車ピン１０２Ｃに回転可能に組み込まれる。小鉄車１２８は、巻真１１０が「０段目」にある状態でつづみ車１１４の甲歯１１４Ａと噛み合わず、巻真１１０が「１段目」及び「２段目」にある状態で、つづみ車１１４の甲歯１１４Ａと噛み合うように構成される。
【００４０】
（１・４）修正装置の構成：
図２２を参照すると、切換レバー１３０が、小鉄車ピン１０２Ｃを回転中心として揺動可能に設けられる。切換レバー止め枠１３６が、小鉄車ピン１０２Ｃの頂部に嵌められる。切換レバー止め枠（図示せず）は、切換レバー１３０を揺動可能に保持するために設けられる。切換レバー止め枠を小鉄車ピン１０２Ｃの頂部に固着してもよいし、或いは、切換レバー止め枠を小鉄車ピン１０２Ｃの頂部に配置してもよい。
【００４１】
切換レバー１３０は、小鉄車ピン１０２Ｃの一方の側、すなわち、巻真１１０の中心軸線（基準軸線）より１時方向の方に配置された切換レバー第１部分１３０Ａと、小鉄車ピン１０２Ｃの他方の側、すなわち、巻真１１０の中心軸線（基準軸線）より５時方向の方に配置された切換レバー第２部分１３０Ｂとを含む。切換レバー１３０はおしどり係合部１３０Ｅを有する。切換レバー１３０のおしどり係合部１３０Ｅを、弾性変形可能なばね部として構成するのがよい。
【００４２】
第１修正伝え車１３２が切換レバー第１部分１３０Ａに回転可能に取付けられる。第２修正伝え車１３４が切換レバー第１部分１３０Ａに回転可能に取付けられる。第１修正伝え車１３２は、小鉄車１２８及び第２修正伝え車１３４と噛み合っている。第１修正伝え車１３２は第１修正伝え車軸部（図示せず）を有する。
【００４３】
第２修正伝え車１３４は第２修正伝え車軸部（図示せず）を有する。切換レバー位置決め穴（図示せず）が地板１０２に設けられる。第２修正伝え車軸部は切換レバー位置決め穴の中に配置される。切換レバー１３０の回転方向の位置は、第２修正伝え車軸部が切換レバー位置決め穴の円筒壁面に当接することにより決定される。従って、第１修正伝え車１３２及び第２修正伝え車１３４は、巻真１１０が第２の巻真位置（１段目）にあるときに、小鉄車１２８の回転に基づいて第一日車５１２及び第二日車５２２の表示内容を修正するための、切換レバー１３０に設けられた第１の修正輪列を構成する。
【００４４】
第１の修正輪列を構成する修正伝え車の数は、２個であるのが好ましいが、１個であってもよいし、或いは、３個以上であってもよい。第３修正伝え車１４０が地板１０２に回転可能に設けられる。揺動レバー１４２が第３修正伝え車に対して揺動可能に設けられる。揺動レバー１４２は、一定のスリップトルクを超えたときに、第３修正伝え車１４０が揺動レバー１４２に対してスリップすることができるように、第３修正伝え車１４０に取付けられている。本発明の実施の形態では、このスリップトルクが、１ｇ・ｃｍから２ｇ・ｃｍになるように構成するのがよい。
【００４５】
修正車１４４が揺動レバー１４２に回転可能に設けられる。修正車１４４は、修正かな（図示せず）と、修正歯車（図示せず）と、修正車軸部（図示せず）とを有する。第３修正伝え車１４０は、第２修正伝え車１３４及び修正かなと噛み合っている。揺動レバー位置決め穴（図示せず）が地板１０２に設けられる。修正車軸部は揺動レバー位置決め穴の中に配置される。揺動レバー１４２の回転方向の位置は、修正車軸部が揺動レバー位置決め穴の円筒壁面に当接することにより決定される。
【００４６】
図１及び図３を参照すると、日付のうちの一の位を表示する第一日車５１２が、地板１０２に回転可能に組み込まれる。第一日車５１２は３１枚の日車歯を有し、日送り機構（後述する）により回転する。第一日車５１２の回転方向の位置は第一日ジャンパ５１４により決められている。日車押さえ２６４が第一日車５１２を回転可能なように保持している。
【００４７】
日付のうちの十の位を表示する第二日車５２２が設けられる。第二日車５２２は１２枚の歯をもった第二日星車５２３を有する。第二日星車５２３は、日車押さえ２６４に設けられた第二日星車案内ピン２６４Ｄに対して回転可能なように配置される。第二日車止め座２６４Ｆにより、第二日星車５２３は、第二日星車案内ピン２６４Ｄに対して回転可能なように支持される。第二日車５２２は第二日車送り機構（後述する）により回転する。第二日車５２２の回転方向の位置は第二日ジャンパ５２４により決められている。
【００４８】
図２２を参照すると、第１日の裏中間車１６０が切換レバー第２部分１３０Ｂに回転可能に取付けられる。第２日の裏中間車１６２が切換レバー第２部分１３０Ｂに回転可能に取付けられる。第１日の裏中間車１６０は、小鉄車１２８及び第２日の裏中間車１６２と噛み合っている。
【００４９】
第１日の裏中間車１６０及び第２日の裏中間車１６２は、巻真１１０が第３の巻真位置（２段目）にあるときに、小鉄車１２８の回転に基づいて日の裏車１６６を回転させて時刻表示部材の表示内容を修正するための、切換レバー１３０に設けられた第２の修正輪列を構成する。第２の修正輪列を構成する日の裏中間車の数は、２個であるのが好ましいが、１個であってもよいし、或いは、３個以上であってもよい。
【００５０】
（１・５）規正装置の構成：
図２および図２２を参照すると、切換装置の作動に基づいて作動して時刻表示部材の作動を規正するためのてんぷ規正レバー１７０が、かんぬき１２２の回転中心を中心として回転可能なように設けられる。巻真１１０が０段目及び１段目にあるときには、おしどり１２０により、てんぷ規正レバー１７０は時計回り方向に回転され、てんぷ規正レバー１７０の切換レバー当接部（図示せず）が第１修正伝え車軸部に当たって位置決めされる。
【００５１】
てんぷ規正レバー１７０が第１修正伝え車軸部を押すことにより、切換レバー１３０は時計回り方向に回転される。前述したように、切換レバー１３０の回転方向の位置は、切換レバー１３０が時計回り方向に回転して、第２修正伝え車軸部が切換レバー位置決め穴の円筒壁面に接触することにより決定される。巻真１１０が０段目および１段目にあるときに、規正レバー１７０のてんぷ規正ピン１７０Ａは、てんぷ３４０に接触しないように構成される。巻真１１０が第３の巻真位置（２段目）にあるときに、規正レバー１７０のてんぷ規正ピン１７０Ａは、てんぷ３４０に接触するように構成される。
【００５２】
（１・６）カレンダ機構の構成：
（１・６・１）第一日車送り機構の構成：
以下に、第一日車送り機構の構成について説明する。図１から図３および図２１を参照すると、ムーブメント１００において、日送り機構は、第一日回し中間車２６５と、第二日回し中間車２６６と、日回し車２１０と、第一日ジャンパ５１４とを含む。筒車１８０が回転することにより、第一日回し中間車２６５が回転するように構成される。第一日回し中間車２６５が回転することにより、第二日回し中間車２６６が回転するように構成される。第二日回し中間車２６６が回転することにより、日回し車２１０が回転するように構成される。筒車１８０は、１２時間に１回転するように構成される。日回し車２１０は、２４時間に１回転するように構成される。
【００５３】
第一日車５１２が地板１０２に回転可能に組み込まれる。第一日車５１２の回転方向の位置を規正するための第一日ジャンパ５１４が地板１０２に組み込まれる。第一日ジャンパ５１４は、ばね部５１４Ｂと、ばね部５１４Ｂの先端に設けられた規正部５１４Ｃ、５１４Ｄとを含む。第一日ジャンパ５１４の規正部５１４Ｃ、５１４Ｄは第一日車５１２の歯部を規正するように構成される。日回し車２１０が１回転すると、第一日車５１２が、１ピッチ（１歯）分だけ回転するように構成される。
【００５４】
第一日車５１２の第一日車歯部５５６を送るための日送り爪２１２が、日回し車２１０の回転により一体になって回転するように設けられる。日送り爪２１２は、先端の配置された日送り部２１３と、日送り爪ばね部２１４とを含む。日回し車２１０が回転することにより、日送り爪２１２が回転して、日送り爪２１２により第一日車５１２は、間欠的に２４時間について１度だけ、３６０／３１度ずつ、反時計回り方向に回転することができるように構成される。
【００５５】
（１・６・２）第二日車送り機構の構成：
次に、第二日車送り機構の構成について説明する。図１、図３および図２１を参照すると、第二日車送りレバー５７０が、第二日車５２２と日車押さえ２６４との間に作動可能なように配置される。第二日車送りレバー５７０は、日車押さえ２６４の上面に対して配置される。２個の第二日車送りレバーガイドピン５７１、５７３が、第二日車送りレバー５７０を作動可能なように案内して保持するために日車押さえ２６４に設けられる。図示しているように、２個の月送りレバーガイドピンを設けるのが好ましいけれども、第二日車送りレバーガイドピンの数は３個以上であってもよい。第二日車送りレバーガイドピン５７１、５７３の円盤状の保持部が、第二日車送りレバー５７０を日車押さえ２６４の上面に対して保持している。第二日車５２２の回転方向の位置を規正するための第二日ジャンパ５２４が日車押さえ２６４に組み込まれる。第二日ジャンパ５２４は、ばね部５２４Ｂと、ばね部５２４Ｂの先端に設けられた規正部５２４Ｃ、５２４Ｄとを含む。第二日ジャンパ５２４の規正部５２４Ｃ、５２４Ｄは第二日車５６２の位置決め歯部５２６を規正するように構成される。
【００５６】
第二日車送りレバー５７０は、第二日星車５２３の歯部と接触可能なように配置された第二日車送り部５７０Ａと、第二日車送りレバーガイドピン５７３と接触可能なように配置された作動案内部５７０Ｂと、第一日車５１２のカレンダ桁送り歯５１８と接触可能なように配置されたレバー送り作動部５７０Ｃと、第二日車送りレバーばね部５７０Ｄとを含む。第二日車送りレバーばね部５７０Ｄの末端部に近い部分は、日車押さえ２６４に設けられた第二日車送りレバーばねピン５７０Ｆに接触するように構成される。第二日車送りレバー５７０は、第二日車送りレバーガイドピン５７１、５７３に案内され、第一日車５１２の回転に基づいて第二日車５２２に向かって移動し、第二日車送りレバーばね部５７０Ｄのばね力により元の位置に戻されるように構成される。日回し車２１０の回転中心は、地板１０２に設けられた日回し車ピン１０２Ｐで構成される。
【００５７】
（１・６・３）第一日車、第二日車の構成：
図４は、本発明のカレンダ機構付き時計において、第一日車５１２を反時計回り方向に回転させようとしている状態における、文字板側から見たムーブメントの裏側の構造を示す部分平面図である。図３、図４および図２１を参照すると、ムーブメント１００は、第一日回し中間車２６５と、第二日回し中間車２６６と、日回し車２１０と、日付のうちの一の位を表示する第一日車５１２と、第一日車５１２の回転方向の位置を規正するための第一日ジャンパ５１４と、日付のうちの十の位を表示する第二日車５２２と、第二日車５２２の回転方向の位置を規正するための第二日ジャンパ５２４と、第一日車５１２の回転に基づいて移動して第二日車５２２を回転させることができる第二日車送りレバー５７０とを備える。第一日車５１２の回転中心と、第二日車５２２の回転中心は同一の位置にある。すなわち、第一日車５１２の回転中心と、第二日車５２２の回転中心は、時針４６４の回転中心（すなわち、筒車１８０の回転中心）と同じ位置に配置される。第一日ジャンパ５１４の規正部５１４Ｃ、５１４Ｄが第一日車５１２の第一日車歯部３５６を規正する。
【００５８】
図５を参照すると、文字板１０４の１２時位置に日窓１０４ｆが形成される構成の場合、第一日車５１２はリング形状の第一日文字表示面５１２ｆを備える。第一日車５１２は、内歯として形成された３１個の第一日車歯部５１６と、内歯として形成された４個のカレンダ桁送り歯５１８とを含む。第一日車歯部５１６は、等しい角度の間隔、すなわち（３６０／３１）度の間隔で形成される。カレンダ桁送り歯５１８は、基準となる第１カレンダ桁送り歯５１８ａと、第１カレンダ桁送り歯５１８ａを基準として時計回り方向に（３６０＊２／３１）度の間隔で形成された第２カレンダ桁送り歯５１８ｂと、第２カレンダ桁送り歯５１８ｂを基準として時計回り方向に（３６０＊９／３１）度の間隔で形成された第３カレンダ桁送り歯５１８ｃと、第１カレンダ桁送り歯５１８ａを基準として反時計回り方向に（３６０＊１０／３１）度の間隔で形成された第４カレンダ桁送り歯５１８ｄとからなる。
【００５９】
３１個の数字からなる第一日文字５１２ｈが第一日文字表示面５１２ｆに設けられる。
第一日文字５１２ｈは、４組の数字を含む。すなわち、第一日文字は、第１組の第一日文字を構成する「１」から「９」および「０」の数字と、第２組の第一日文字を構成する「１」から「９」および「０」の数字と、第３組の第一日文字を構成する「１」から「９」および「０」の数字と、第４組の第一日文字を構成する「１」の数字とを含む。すなわち、第一日文字３１２ｈは、「１」、「１」、「２」、「３」、「４」、「５」、「６」、「７」、「８」、「９」、「０」、「１」、「２」、「３」、「４」、「５」、「６」、「７」、「８」、「９」、「０」、「１」、「２」、「３」、「４」、「５」、「６」、「７」、「８」、「９」、「０」の３１個の数字を含む。第一日文字５１２ｈを構成する３１個の数字は、等しい角度の間隔、すなわち（３６０／３１）度の間隔で第一日文字表示面５１２ｆに配置される。図５に示す状態では、第一日文字５１２ｈのうちの隣接して配置された「０」と「１」とが文字板１０４に設けられた日窓１０４ｆに配置される。切り欠き部５１２ｋが、第一日文字表示面５１２ｆの外周部において、第一日文字５１２ｈのうちの隣接して配置された「１」と「１」との間の位置に対応するように形成される。
【００６０】
図６を参照すると、第二日車５２２は、第二日星車５２３と、切り欠きを設けた円盤形状の第二日文字表示面５２２ｆを備える。第二日文字表示面５２２ｆは、（３６０／１２）度の間隔で形成された１２個の台形部分５２２ｊと、（３６０／１２）度の間隔で形成された１２個の切り欠き部５２２ｋとを含む。第二日車５２２の第二日星車５２３は、外歯として形成された１２個の位置決め歯部５２６を含む。位置決め歯部５２６は、等しい角度の間隔、例えば（３６０／１２）度の間隔で形成される。
【００６１】
「１」、「２」、「３」、「０」からなる第二日文字５２２ｈが第二日文字表示面５２２ｆに設けられる。「１」の数字と「２」の数字は、３０度の間隔で第二日文字表示面５２２ｆに配置される。「２」の数字と「３」の数字は、３０度の間隔で第二日文字表示面５２２ｆに配置される。「３」の数字と「０」の数字は、３０度の間隔で第二日文字表示面に配置される。したがって、第二日文字表示面５２２ｆには、「１」の数字と、「２」の数字と、「３」の数字と、「０」の数字が、互いに３０度の間隔をなすように配置される。第二日文字表示面５２２ｆには、「１」の数字と、「２」の数字と、「３」の数字と、「０」の数字からなる数字の組が３組設けられる。或いは、「０」の数字を設ける代わりに、その位置を「白紙」の部分（すなわち、何の数字も設けられていない無地の部分）とする構成も可能である。図６に示す状態では、第二日文字５２２ｈのうちの「３」が文字板１０４に設けられた日窓１０４ｆの左側の部分に配置される。
【００６２】
図３を参照すると、第二日文字表示面５２２ｆは、第一日文字表示面５１２ｆよりも文字板１０４に近い位置に配置される。図７を参照すると、本発明のカレンダ機構付き時計のコンプリート５００では、文字板１０４の１２時位置に日窓１０４ｆが形成されている。コンプリート５００において、文字板１０４の日窓１０４ｆの中の左側の部分には、第二日車５２２の第二日文字５２２ｈのうちの「３」が配置され、日窓１０４ｆの中の右側の部分には、第二日車５２２の切り欠き部５２２ｋと、第一日文字５１２ｈのうちの「１」が配置される。したがって、コンプリート５００は「３１」日を表示している。
【００６３】
図８を参照すると、文字板１０４の６時位置に日窓１０４ｇが形成される構成の場合、第一日車５５２はリング形状の第一日文字表示面５５２ｆを備える。第一日車５５２は、内歯として形成された３１個の第一日車歯部５５６と、内歯として形成された４個のカレンダ桁送り歯５５８とを含む。第一日車歯部５５６は、等しい角度の間隔、すなわち（３６０／３１）度の間隔で形成される。カレンダ桁送り歯５５８は、基準となる第１カレンダ桁送り歯５５８ａと、第１カレンダ桁送り歯５５８ａを基準として時計回り方向に（３６０＊２／３１）度の間隔で形成された第２カレンダ桁送り歯５５８ｂと、第２カレンダ桁送り歯５５８ｂを基準として時計回り方向に（３６０＊９／３１）度の間隔で形成された第３カレンダ桁送り歯５５８ｃと、第１カレンダ桁送り歯５５８ａを基準として反時計回り方向に（３６０＊１０／３１）度の間隔で形成された第４カレンダ桁送り歯５５８ｄとからなる。
【００６４】
３１個の数字からなる第一日文字３５２ｈが第一日文字表示面５５２ｆに設けられる。第一日文字５５２ｈは、４組の数字を含む。すなわち、第一日文字は、第１組の第一日文字を構成する「１」から「９」および「０」の数字と、第２組の第一日文字を構成する「１」から「９」および「０」の数字と、第３組の第一日文字を構成する「１」から「９」および「０」の数字と、第４組の第一日文字を構成する「１」の数字とを含む。第一日文字５５２ｈを構成する３１個の数字は、等しい角度の間隔、すなわち（３６０／３１）度の間隔で第一日文字表示面５５２ｆに配置される。図８に示す状態では、第一日文字５５２ｈのうちの隣接して配置された「１」と「１」とが文字板１０４に設けられた日窓１０４ｇに配置される。切り欠き部５５２ｋが、第一日文字表示面５５２ｆの外周部において、第一日文字５５２ｈのうちの隣接して配置された「１」と「１」に対して、第一日車５５２の中心と反対の位置にある「７」の位置に対応するように形成される。
【００６５】
図９を参照すると、第二日車５６２は、切り欠きを設けた円盤形状の第二日文字表示面５６２ｆを備える。第二日文字表示面５６２ｆは、（３６０／１２）度の間隔で形成された１２個の台形部分５６２ｊと、（３６０／１２）度の間隔で形成された１２個の切り欠き部５６２ｋとを含む。第二日車５６２は、さらに、外歯として形成された１２個の位置決め歯部５２６を含む。第二日車５６２の位置決め歯部５２６は、等しい角度の間隔、例えば（３６０／１２）度の間隔で形成される。「１」、「２」、「３」、「０」からなる第二日文字５６２ｈが第二日文字表示面５６２ｆに設けられる。「１」の数字と「２」の数字は、３０度の間隔で第二日文字表示面５６２ｆに配置される。「２」の数字と「３」の数字は、３０度の間隔で第二日文字表示面５６２ｆに配置される。「３」の数字と「０」の数字は、３０度の間隔で第二日文字表示面に配置される。したがって、第二日文字表示面５６２ｆには、「１」の数字と、「２」の数字と、「３」の数字と、「０」の数字が、互いに３０度の間隔をなすように配置される。第二日文字表示面５６２ｆには、「１」の数字と、「２」の数字と、「３」の数字と、「０」の数字からなる数字の組が３組設けられる。或いは、「０」の数字を設ける代わりに、その位置を「白紙」の部分（すなわち、何の数字も設けられていない無地の部分）とする構成も可能である。図９に示す状態では、第二日文字５６２ｈのうちの「３」が文字板１０４に設けられた日窓１０４ｇの左側の部分に配置される。
【００６６】
図１０を参照すると、本発明のカレンダ機構付き時計のコンプリート５５０では、文字板１０４の６時位置に日窓１０４ｇが形成されている。コンプリート５５０において、文字板１０４の日窓１０４ｇの中の左側の部分には、第二日車５６２の第二日文字５６２ｈのうちの「３」が配置され、日窓１０４ｇの中の右側の部分には、第二日車５６２の切り欠き部５６２ｋと、第一日文字５５２ｈのうちの「１」が配置される。したがって、コンプリート５５０は「３１」日を表示している。
【００６７】
図１１を参照すると、文字板１０４の３時位置に日窓１０４ｈが形成される構成の場合、第一日車５７２はリング形状の第一日文字表示面５７２ｆを備える。第一日車５７２は、内歯として形成された３１個の第一日車歯部５７６と、内歯として形成された４個のカレンダ桁送り歯５７８とを含む。第一日車歯部５７６は、等しい角度の間隔、すなわち（３６０／３１）度の間隔で形成される。カレンダ桁送り歯５７８は、基準となる第１カレンダ桁送り歯５７８ａと、第１カレンダ桁送り歯５７８ａを基準として時計回り方向に（３６０＊２／３１）度の間隔で形成された第２カレンダ桁送り歯５７８ｂと、第２カレンダ桁送り歯５７８ｂを基準として時計回り方向に（３６０＊９／３１）度の間隔で形成された第３カレンダ桁送り歯５７８ｃと、第１カレンダ桁送り歯５７８ａを基準として反時計回り方向に（３６０＊１０／３１）度の間隔で形成された第４カレンダ桁送り歯５７８ｄとからなる。
【００６８】
３１個の数字からなる第一日文字５７２ｈが第一日文字表示面５７２ｆに設けられる。第一日文字５７２ｈは、４組の数字を含む。すなわち、第一日文字は、第１組の第一日文字を構成する「１」から「９」および「０」の数字と、第２組の第一日文字を構成する「１」から「９」および「０」の数字と、第３組の第一日文字を構成する「１」から「９」および「０」の数字と、第４組の第一日文字を構成する「１」の数字とを含む。第一日文字５７２ｈを構成する３１個の数字は、等しい角度の間隔、すなわち（３６０／３１）度の間隔で第一日文字表示面５７２ｆに配置される。図１１に示す状態では、第一日文字５７２ｈのうちの「１」が文字板１０４に設けられた日窓１０４ｈに配置される。切り欠き部５７２ｋが、第一日文字表示面５７２ｆの外周部において、第一日文字５７２ｈのうちの隣接して配置された「１」と「１」に対して、反時計回り方向の位置にある「４」の位置に対応するように形成される。
【００６９】
図１２を参照すると、第二日車５８２は、円盤形状の第二日文字表示面５８２ｆを備える。第二日文字表示面５８２ｆの外径は、第一日文字表示面５７２ｆの日文字を配置した領域の大きさよりも小さいように構成される。第二日車５８２は、外歯として形成された１２個の位置決め歯部５２６を含む。位置決め歯部５２６は、等しい角度の間隔、例えば（３６０／１２）度の間隔で形成される。「１」、「２」、「３」、「０」からなる第二日文字５８２ｈが第二日文字表示面５８２ｆに設けられる。「１」の数字と「２」の数字は、３０度の間隔で第二日文字表示面５８２ｆに配置される。「２」の数字と「３」の数字は、３０度の間隔で第二日文字表示面５８２ｆに配置される。「３」の数字と「０」の数字は、３０度の間隔で第二日文字表示面に配置される。したがって、第二日文字表示面５８２ｆには、「１」の数字と、「２」の数字と、「３」の数字と、「０」の数字が、互いに３０度の間隔をなすように配置される。第二日文字表示面５８２ｆには、「１」の数字と、「２」の数字と、「３」の数字と、「０」の数字からなる数字の組が３組設けられる。或いは、「０」の数字を設ける代わりに、その位置を「白紙」の部分（すなわち、何の数字も設けられていない無地の部分）とする構成も可能である。図１２に示す状態では、第二日文字３８２ｈのうちの「３」が文字板１０４に設けられた日窓１０４ｈの左側の部分に配置される。
【００７０】
図１３を参照すると、本発明のカレンダ機構付き時計のコンプリート５７０では、文字板１０４の３時位置に日窓１０４ｈが形成されている。コンプリート５７０において、文字板１０４の日窓１０４ｈの中の左側の部分には、第二日車５８２の第二日文字５８２ｈのうちの「３」が配置され、日窓１０４ｈの中の右側の部分には、第二日車５６２はなく、第一日文字５７２ｈのうちの「１」が配置される。したがって、コンプリート５７０は「３１」日を表示している。
【００７１】
（１・６・４）第一日車を回転させる前の状態：
図１４は、第一日車を回転させる前の状態における、文字板側から見たムーブメント１００の裏側の構造を示す部分平面図である。図１４を参照すると、第一日車５５２により日窓１０４ｇから表示される日文字は「１」であり、第二日車５６２により日窓１０４ｇから表示される日文字は「３」である。日回し車２１０が矢印で示す方向（反時計回り方向）に回転することにより、日送り爪２１２も反時計回り方向に回転する。
【００７２】
（１・６・４）第一日車が正方向に回転を開始している状態：
図１５は、第一日車が正方向に回転を開始している状態における、文字板側から見たムーブメントの裏側の構造を示す部分平面図である。図１５を参照すると、日回し車２１０が更に反時計回り方向（図１５に矢印で示す方向）に回転することにより、日送り爪２１２も更に反時計回り方向に回転する。日送り爪２１２の日送り部２１３は反時計回り方向に回転して、第一日車５５２の第一日車歯部５５６に接触する。
【００７３】
（１・６・５）第一日車および第二日車が正方向に回転しつつある状態：
図１６は、第一日車および第二日車が正方向に回転しつつある状態で、かつ、第二日車の歯先が第二日ジャンパの頂点と接触している状態における、文字板側から見たムーブメントの裏側の構造を示す部分平面図である。図１６を参照すると、日送り爪２１２の日送り部２１３は、第一日車５５２の第一日車歯部５５６に接触するように反時計回り方向に回転する。日送り爪２１２の回転により、第一日車５５２が反時計回り方向に回転すると、第一日車５５２の第２カレンダ桁送り歯５５８ｂは、第二日車送りレバー５７０のレバー送り作動部５７０Ｃに接触する。第一日車５５２の第２カレンダ桁送り歯５５８ｂがこの位置に配置されると、第二日車送りレバー５７０は第二日星車５２３の位置決め歯部５２６に向かって移動することができる。第二日車送りレバー５７０の第二日車送り部５７０Ａが第二日星車５２３の位置決め歯部５２６に接触すると、第二日車５６２は時計回り方向（図１６に矢印で示す方向）に回転する。そして、第二日星車５２３の位置決め歯部５２６の歯先は第二日ジャンパ５２４の規制部の頂点と接触する。また、第一日車５５２の第一日車歯部５５６の歯先は第一日ジャンパ５１４の規制部の頂点に接近する。
【００７４】
（１・６・６）第二日車が正方向に１ピッチ回転した状態：
図１７は、第一日車が正方向に回転しつつある状態で、かつ、第二日車が正方向に１ピッチ回転した状態における、文字板側から見たムーブメントの裏側の構造を示す部分平面図である。図１７を参照すると、日送り爪２１２が更に回転することにより、第二日車送りレバー５７０は第二日星車５２３の位置決め歯部５２６を回転させ、第二日ジャンパ５２４の力によって第二日車５６２が正方向（時計回り方向）に１ピッチ回転する。したがって、図１７に示す状態では、第二日文字５６２ｈのうちの「０」が文字板１０４に設けられた日窓１０４ｈの左側の部分に配置される。
【００７５】
（１・６・７）第一日車の歯部先端が第一日ジャンパの頂点と接触している状態：
図１８は、第一日車の歯部先端が第一日ジャンパの頂点と接触している状態における、文字板側から見たムーブメントの裏側の構造を示す部分平面図である。図１８を参照すると、日送り爪２１２が更に回転することにより、第一日車５５２の第一日車歯部５５６の歯先は第一日ジャンパ５１４の規制部の頂点に接触する。
【００７６】
（１・６・８）第二日車送りレバーが最大限に移動した状態：
図１９は、第一日車が正方向に回転しつつある状態で、かつ、第二日車送りレバーが最大限に移動した状態における、文字板側から見たムーブメントの裏側の構造を示す部分平面図である。図１９を参照すると、第二日車送りレバー５７０は、第二日星車５２３の位置決め歯部５２６に向かう方向に最大限に移動している。
【００７７】
（１・６・９）第一日車および第二日車が正方向に１ピッチ回転した状態：
図２０は、第一日車が正方向に１ピッチ回転し、第二日車が正方向に１ピッチ回転した状態における、文字板側から見たムーブメントの裏側の構造を示す部分平面図である。図２０を参照すると、日送り爪２１２が更に回転することにより、第一日ジャンパ５１４の力によって第一日車５５２が反時計回り方向に１ピッチ回転する。したがって、図２０に示す状態では、第二日文字５６２ｈのうちの「０」が文字板１０４に設けられた日窓１０４ｈの左側の部分に配置され、かつ、第一日文字５５２ｈのうちの「１」が配置される。したがって、コンプリートは現在の日付の「０１」日を表示する。
【００７８】
（７）カレンダ機構付き時計の作動：
（７・１）時刻情報の表示：
図１から図３、図２１および図２２を参照すると、香箱車３２０に組み込まれたぜんまい（図示せず）は時計の動力源を構成する。ぜんまいが巻き戻される（解放される）ことにより、香箱車３２０の香箱歯車は１つの方向に回転し、表輪列及び裏輪列の回転を介して、指針（時針、分針、秒針など）により時刻情報を表示する。ぜんまいの動力により回転する香箱歯車の回転は、調速装置及び脱進装置によって制御される。調速装置はてんぷ３４０を含む。脱進装置はアンクル３４２及びがんぎ車３３０を含む。香箱歯車の回転により、二番車３２５が回転する。二番車３２５の回転により、三番車３２６が回転する。三番車３２６の回転により、四番車３２７が１分間に１回転する。
【００７９】
四番車３２７の回転速度は、がんぎ車３３０により制御される。がんぎ車３３０の回転速度は、アンクル３４２により制御される。アンクル３４２の揺動運動は、てんぷ３４０により制御される。香箱車３２０の回転により、分車３２９が１時間に１回転する。分車３２９に取付けられた分針４６２が、時刻情報のうちの「分」を表示する。四番車３２７に取付けられた秒針４６０が、時刻情報のうちの「秒」を表示する。四番車３２７の回転中心と分車３２９の回転中心とは同じ位置にあるように構成される。分車３２９の回転により、日の裏車１６６が回転する。日の裏車１６６の回転により、筒車１８０は１２時間に１回転する。筒車１８０に取付けられた時針４６４が、時刻情報のうちの「時」を表示する。
【００８０】
（７・２）カレンダ送りの作動：
図１４から図２０を参照して、日付の表示を「３１」から「０１」に変えるときの作動を説明する。図１４を参照すると、日回し車２１０が矢印で示す方向（反時計回り方向）に回転することにより、日送り爪２１２も反時計回り方向に回転する。図１５を参照すると、日送り爪２１２も更に反時計回り方向に回転する。日送り爪２１２の日送り部２１３は反時計回り方向に回転して、第一日車５５２の第一日車歯部５５６に接触する。
【００８１】
図１６を参照すると、日送り爪２１２の回転により、第一日車５５２が反時計回り方向に回転すると、第一日車５５２の第２カレンダ桁送り歯５５８ｂは、第二日車送りレバー５７０のレバー送り作動部５７０Ｃに接触する。第二日車送りレバー５７０の第二日車送り部５７０Ａが第二日星車５２３の位置決め歯部５２６に接触すると、第二日車５６２は時計回り方向（図１６に矢印で示す方向）に回転する。第二日星車５２３の位置決め歯部５２６の歯先は第二日ジャンパ５２４の規制部の頂点と接触する。
【００８２】
図１７を参照すると、第二日車送りレバー５７０は第二日星車５２３の位置決め歯部５２６を回転させ、第二日ジャンパ５２４の力によって第二日車５６２が正方向（時計回り方向）に１ピッチ回転し、第二日文字５６２ｈのうちの「０」が、文字板１０４に設けられた日窓１０４ｈの左側の部分に配置される。図１８を参照すると、日送り爪２１２が更に回転することにより、第一日車５５２の第一日車歯部５５６の歯先は第一日ジャンパ５１４の規制部の頂点に接触する。
【００８３】
図１９を参照すると、第二日車送りレバー５７０は、第二日星車５２３の位置決め歯部５２６に向かう方向に最大限に移動している。図２０を参照すると、第一日ジャンパ５１４の力によって第一日車５５２が反時計回り方向に１ピッチ回転させ、第一日文字５５２ｈのうちの「１」が、文字板１０４に設けられた日窓１０４ｈの右側の部分に配置される。
【００８４】
つぎに、日付の表示を「０１」から「０２」に変えるときの作動を説明する。図２０を参照すると、日回し車２１０が矢印で示す方向（反時計回り方向）に回転することにより、日送り爪２１２も反時計回り方向に回転する。日送り爪２１２の日送り部２１３は反時計回り方向に回転して、第一日車５５２の第一日車歯部５５６に接触する。日送り爪２１２が更に回転することにより、第一日車５５２の第一日車歯部５５６の歯先は第一日ジャンパ５１４の規制部の頂点に接触する。第一日ジャンパ５１４の力によって第一日車５５２が反時計回り方向に１ピッチ回転させ、第一日文字５５２ｈのうちの「１」のとなりにある次の「２」が、文字板１０４に設けられた日窓１０４ｈの右側の部分に配置される。この作動のとき、第二日車５６２は回転しない。すなわち、第二日文字５６２ｈのうちの「０」は、文字板１０４に設けられた日窓１０４ｈの左側の部分に配置されたままである。
【００８５】
日付の表示を「０２」から「０３」に変えるときの作動、「０３」から「０４」に変えるときの作動、「０８」から「０９」に変えるときの作動、「１２」から「１３」に変えるときの作動、「１３」から「１４」に変えるときの作動、「１８」から「１９」に変えるときの作動、「２２」から「２３」に変えるときの作動、「２３」から「２４」に変えるときの作動、「２８」から「２９」に変えるときの作動、なども同様である。
【００８６】
つぎに、日付の表示を「０９」から「１０」に変えるときの作動を説明する。図１を参照すると、日回し車２１０が反時計回り方向に回転することにより、日送り爪２１２も反時計回り方向に回転する。日送り爪２１２も更に反時計回り方向に回転する。日送り爪２１２の日送り部２１３は反時計回り方向に回転して、第一日車５５２の第一日車歯部５５６に接触する。日送り爪２１２の回転により、第一日車５５２が反時計回り方向に回転すると、第一日車５５２の第２カレンダ桁送り歯５５８ｃは、第二日車送りレバー５７０のレバー送り作動部２７０Ｃに接触する。第二日車送りレバー５７０の第二日車送り部５７０Ａが第二日星車５２３の位置決め歯部５２６に接触すると、第二日車５６２は時計回り方向に回転する。第二日星車５２３の位置決め歯部５２６の歯先は第二日ジャンパ５２４の規制部の頂点と接触する。第二日車送りレバー５７０は第二日星車５２３の位置決め歯部５２６を回転させ、第二日ジャンパ５２４の力によって第二日車５６２が時計回り方向に１ピッチ回転し、第二日文字５６２ｈのうちの「１」が、文字板１０４に設けられた日窓１０４ｈの左側の部分に配置される。日送り爪２１２が更に回転することにより、第一日車５５２の第一日車歯部５５６の歯先は第一日ジャンパ５１４の規制部の頂点に接触する。第二日車送りレバー５７０は、第二日星車５２３の位置決め歯部５２６に向かう方向に最大限に移動する。第一日ジャンパ５１４の力によって第一日車５５２が反時計回り方向に１ピッチ回転させ、第一日文字５５２ｈのうちの「０」が、文字板１０４に設けられた日窓１０４ｈの右側の部分に配置される。日付の表示を「１９」から「２０」に変えるときの作動、日付の表示を「２９」から「３０」に変えるときの作動も同様である。
【００８７】
（８）巻真が０段目にある状態における時計の作用
図２、図３および図２２を参照すると、巻真１１０が０段目にある状態では、つづみ車１１４の乙歯１１４Ｂは、きち車１１６の内側歯１１６Ａと噛み合っている。従って、巻真１１０を右回転させると（時計の外側から見て時計回り方向に巻真１１０を回転させると）、つづみ車１１４の回転に基づいてきち車１１６が回転し、丸穴車が回転する。丸穴車の回転に基づいて丸穴伝え車が回転する。丸穴伝え車の回転により、揺動丸穴車は回転しながら揺動して、角穴車と噛み合い、角穴車を一定の方向に回転させる。こはぜ（図示せず）が、角穴車の逆方向の回転を阻止するように設けられている。
【００８８】
角穴車の回転に基づいて香箱真が回転し、ぜんまいを巻き上げる。ぜんまいの動力により、香箱歯車が一定の方向に回転する。香箱歯車の回転に基づいて表輪列が回転し、時刻表示部材を構成する秒針及び分針を回転させる。表輪列の回転速度は、てんぷを含む調速装置と、脱進装置により調節される。表輪列の回転に基づいて日の裏車及び筒車を含む裏輪列が回転して、時針を回転させる。また、筒車の回転に基づいて第一日送り中間車、第二日送り中間車、日送り車などの日送り機構が作動して第一日車と第二日車を回転させる。
【００８９】
（９）巻真が１段目にある状態における時計の作用：一の位の日修正の作動：
図１から図３および図２２を参照すると、巻真１１０を０段目にある状態から１段分引き出して巻真１１０が１段目にある状態にする。巻真１１０を１段分引き出すと、おしどり１２０が反時計回り方向に回転し、かんぬき１２２を時計回り方向に回転させる。この状態では、つづみ車１１４の甲歯１１４Ａが小鉄車１２８と噛み合い、つづみ車１１４の乙歯１１４Ｂはきち車１１６の内側歯１１６Ａと噛み合わない。
【００９０】
巻真１１０が１段目にあるときには、前述したように、おしどり１２０により、てんぷ規正レバー１７０は時計回り方向に回転され、てんぷ規正レバー１７０の切換レバー当接部が第１修正伝え車軸部に当たって位置決めされる。てんぷ規正レバー１７０の作用により、切換レバー１３０が反時計回り方向に回転して、第２修正伝え車軸部が切換レバー位置決め穴の円筒壁面に当接する。この状態では、てんぷ規正レバー１７０はてんぷ２１０に接触しない。
【００９１】
巻真１１０を右回転させると（時計の外側から見て時計回り方向に巻真１１０を回転させると）、つづみ車１１４の回転に基づいて小鉄車１２８が反時計回り方向に回転する。小鉄車１２８の回転に基づいて、第１修正伝え車１３２が時計回り方向に回転する。第１修正伝え車１３２の回転に基づいて、第２修正伝え車１３４が反時計回り方向に回転する。第２修正伝え車１３４の回転に基づいて、第３修正伝え車１４０が時計回り方向に回転する。すると、揺動レバー１４２が時計回り方向に回転して、修正車軸部が揺動レバー位置決め穴の円筒壁面に当接して位置決めされる。この状態で、巻真１１０を右回転させると、第３修正伝え車１４０が揺動レバー１４２に対してスリップすることができる。
【００９２】
第３修正伝え車１４０の回転に基づいて修正車１４４が図２２に実線で示す位置で反時計回り方向に回転する。このような修正車１４４の回転に基づいて第一日車５１２を反時計回り方向に回転する。第一日車５１２の回転方向の位置は、第一日ジャンパ５１４により決められている。以上説明したように、本発明の時計では、巻真１１０が１段目にある状態で巻真１１０を右回転させることにより第一日車５１２を回転させて、一の位の日の表示を修正することができる。
【００９３】
（１０）巻真が２段目にある状態における時計の作用：
図１から図３および図２２を参照すると、巻真１１０を１段目から更に１段分引き出して巻真１１０が２段目にある状態にする。巻真１１０を更に１段分引き出すと、おしどり１２０が更に反時計回り方向に回転する。この作動では、かんぬき１２２は回転しない。従って、この２段目にある状態では、巻真１１０が１段目にある状態と同様に、つづみ車１１４の甲歯１１４Ａは小鉄車１２８と噛み合ったままであり、つづみ車１１４の乙歯１１４Ｂはきち車１１６の内側歯１１６Ａと噛み合っていない。
【００９４】
巻真１１０が２段目にあるときには、おしどり１２０が回転することにより、てんぷ規正レバー１７０は反時計回り方向に回転され、てんぷ規正レバー１７０のてんぷ規正ピン１７０Ａがてんぷ３４０のてんわの部分の外周に当接して、てんぷ３４０の回転を止める。その結果、アンクル３４２及びがんぎ車３３０は作動せず、四番車３２７の回転が規正され、秒針４６０の回転が停止する。
【００９５】
てんぷ規正レバー１７０のてんぷ規正ピン１７０Ａを、てんぷ規正レバー１７０の端面で構成してもよいし、てんぷ規正レバー１７０の端面を直角に曲げて構成してもよい。おしどり１２０が回転することにより、おしどり１２０の先端部に設けたピンが切換レバー１３０のおしどり係合部１３０Ｅを押す。すると、切換レバー１３０が時計回り方向に回転して、第２修正伝え車軸部が切換レバー位置決め穴の円筒壁面に当接する。すると、第２日の裏中間車１６２が日の裏車１６６と噛み合う。
【００９６】
巻真１１０を右回転させると（時計の外側から見て時計回り方向に巻真１１０を回転させると）、つづみ車１１４の回転に基づいて小鉄車１２８が反時計回り方向に回転する。小鉄車１２８の回転に基づいて、第１日の裏中間車１６０が時計回り方向に回転する。第１日の裏中間車１６０の回転に基づいて、第２日の裏中間車１６２が反時計回り方向に回転する。第２日の裏中間車１６２の回転に基づいて、日の裏車１６６が時計回り方向に回転する。日の裏車１６６の回転に基づいて、筒車１８０及び分車３２９が反時計回り方向に回転する。従って、巻真１１０が２段目にあるときに、巻真１１０を右回転させることにより、いわゆる「逆針合わせ」をすることができる。
【００９７】
巻真１１０を左回転させると（時計の外側から見て反時計回り方向に巻真１１０を回転させると）、つづみ車１１４の回転に基づいて小鉄車１２８が時計回り方向に回転する。小鉄車１２８の回転に基づいて、第１日の裏中間車１６０が反時計回り方向に回転する。第１日の裏中間車１６０の回転に基づいて、第２日の裏中間車１６２が時計回り方向に回転する。第２日の裏中間車１６２の回転に基づいて、日の裏車１６６が反時計回り方向に回転する。日の裏車１６６の回転に基づいて、筒車１８０及び分車３２９が時計回り方向に回転する。従って、巻真１１０が２段目にあるときに、巻真１１０を左回転させることにより、いわゆる「正針合わせ」をすることができる。
【００９８】
筒車１８０を回転させることにより、筒車１８０に取付けられた時針４６４が表示する「時」の表示内容を修正することができる。分車３２９の筒かなを回転させることにより、分車３２９に取付けられた分針４６２が表示する「分」の表示内容を修正することができる。そして、てんぷ規正レバー１７０の作用により、「時」及び「分」の表示内容を修正している間、「秒」の表示内容は変化しない。
【００９９】
（２）第２の実施の形態：
次に、本発明のカレンダ機構付き時計の第２の実施の形態を説明する。以下の説明は、本発明のカレンダ機構付き時計の第２の実施形態が本発明のカレンダ機構付き時計の第１の実施形態と異なる点を主に述べる。したがって、以下に記載がない個所は、前述した本発明のカレンダ機構付き時計の第１の実施形態についての説明をここに準用する。
【０１００】
図１９を参照すると、第二日車送りレバー５７０は、第二日車５６２の第二日星車５２３の歯部５６６に向かう方向に最大限に移動している。図２０を参照すると、日送り爪２１２が更に回転することにより、第一日ジャンパ５１４の力によって第一日車５５２が反時計回り方向に１ピッチ回転している。図２３を参照すると、ムーブメント４００において、日送り爪２１２が更に回転することにより、第一日ジャンパ５１４の力によって第一日車５５２が反時計回り方向に１ピッチ回転している。
【０１０１】
図２３を参照すると、第二日車５６２が過剰回転して、第二日車５６２の第二日星車５２３の位置決め歯部５２６が第二日車送りレバー５７０の背面に接触した状態が示されている。図２４は、第二日車５６２が過剰回転して第二日車５６２の位置決め歯部５２６が第二日車送りレバー５７０の背面に接触し、かつ、第二日車送りレバー５７０が、日車押え２６４に設けた度当りピン２６４Ｄに接触した状態を示す部分平面図である。すなわち、本発明のカレンダ機構付き時計の第２の実施の形態においては、第二日車５６２が過剰回転することを防止するために、日車押え２６４に度当りピン２６４Ｄを設けている。
【０１０２】
第二日車送りレバー５７０のレバー送り作動部５７０Ｃが第一日車５１２の第一日車歯部５５６の回転軌跡から外れ、第二日車送りレバー５７０の第二日車送り部５７０Ａが度当りピン２６４Ｄと第二日星車５２３の位置決め歯部５２６とに挟まれた状態のとき、過剰回転した第二日星車５２３の位置決め歯部５２６が、第二日ジャンパの規制部の頂点を越えない位置に、度当りピン２６４Ｄを配置するのがよい。度当りピン２６４Ｄは、第二日星車５２３の位置決め歯部５２６の回転軌跡内に入らないように配置する。
【０１０３】
この構成では、第二日車送りレバー５７０が回転して度当りピン２６４Ｄに接触するので、第二日車送りレバー５７０移動範囲が制限される。したがって、第二日車送りレバー５７０が度当りピン２６４Ｄに接触した状態で、第二日星車５２３の位置決め歯部５２６が第二日車送りレバー５７０に接触するので、第二日車５６２が過剰回転することを効果的に防止することができる。すなわち、この構成により、使用者が、りゅうずを回転させて日の表示を修正するときに第二日車５６２の過剰回転の発生を防止することができ、第一日車５５２と第二日車５６２の位相がずれるおそれがない。
【０１０４】
（３）第３の実施の形態：
次に、本発明のカレンダ機構付き時計の第３の実施の形態を説明する。以下の説明は、本発明のカレンダ機構付き時計の第３の実施形態が本発明のカレンダ機構付き時計の第１の実施形態と異なる点を主に述べる。したがって、以下に記載がない個所は、前述した本発明のカレンダ機構付き時計の第１の実施形態についての説明をここに準用する。本発明のカレンダ機構付き時計の第３の実施の形態はアナログ電子時計である。本発明をアナログ電子時計で構成する場合において、切換機構、カレンダ送り機構、カレンダ修正機構の構造および作用は、上述した本発明の第１の実施形態の構造および作用と同様である。
【０１０５】
図２５を参照すると、ムーブメント６００はアナログ電子時計で構成される。ムーブメント６００は、ムーブメントの基板を構成する地板６０２を含む。文字板（図示せず）がムーブメント６００のガラス側に取付けられる。巻真６１０が、地板６０２に回転可能に組み込まれる。切換装置は、巻真６１０と、おしどり（図示せず）、かんぬき（図示せず）、かんぬき押え（図示せず）とを含む。規正装置は、規正レバー（図示せず）を含む。ムーブメント６００において、時計の動力源を構成する電池６４０が、地板６０２の裏蓋側（表側）に配置される。電池６４０の中心は、ムーブメント６００において、「１０時方向」と「２時方向」との間に配置されるのが好ましい。電池６４０の中心は、ムーブメント６００において、「１１時方向」と「１時方向」との間に配置されるのが一層好ましい。時計の源振を構成する水晶ユニット６５０が地板６０２の裏蓋側に配置される。水晶振動子が、水晶ユニット６５０に収容されている。水晶振動子の振動に基づいて、ステップモータにモータ駆動信号を出力するモータ駆動部（ドライバ）が、集積回路（ＩＣ）６５４に内蔵される。
【０１０６】
水晶ユニット６５０と集積回路６５４とは回路基板６１０に固定される。回路基板６１０と、水晶ユニット６５０と、集積回路６５４とが回路ブロック６１２を構成する。回路ブロック６１２は、地板６０２の裏蓋側に配置される。電池マイナス端子６６０は、電池６４０の陰極と、回路基板６１０のマイナスパターンを導通させるために設けられる。電池プラス端子６６２は、電池６４０の陽極と、回路基板６１０のプラスパターンを導通させるために設けられる。ステップモータを構成するコイルブロック６３０、ステータ６３２、ロータ６３４が、地板６０２の裏蓋側に配置される。
【０１０７】
ロータ６３４の回転により、五番車６４１が回転するように構成される。五番車６４１の回転により、四番車６４２が回転するように構成される。四番車６４２の回転により、三番車６４４が回転するように構成される。三番車６４４の回転により、二番車（図示せず）が回転するように構成される。二番車の回転により、日の裏車６４８が回転するように構成される。日の裏車６４８の回転により、筒車（図示せず）が回転するように構成される。時針（図示せず）が筒車に取付けられる。筒車は１２時間に１回転するように構成される。巻真６１０が０段目にあるとき、および、巻真６１０が１段目にあるとき、規正レバーは四番車６４２又は五番車６４１の歯車部を規正しないように構成される。巻真６１０が２段目にあるとき、規正レバーは四番車６４２又は五番車６４１の歯車部を規正するように構成される。
【０１０８】
四番車６４２は１分間に１回転するように構成されている。二番車は１時間に１回転するように構成される。スリップ機構が二番車に設けられる。巻真６１０を２段目に引き出して針合わせをするときに、規正レバー（図示せず）は四番車６４２又は五番車６４１の歯車部を規正して秒針の回転を停止させる。中心パイプ（図示せず）が地板６０２に固定される。中心パイプは地板６０２の裏蓋側から地板６０２の文字板側に延びる。表輪列を回転可能に支持する輪列受（図示せず）が、地板６０２の裏蓋側に配置される。
【０１０９】
ムーブメント６００の裏側において、筒車の回転により２つの日回し中間車の回転を介して日送り機構（図示せず）を作動させることができる。ムーブメント６００の裏側に配置される日回し車は（図示せず）、ムーブメント６００の表側に配置される電池６４０と、断面的に見て重ならないように配置されるのがよい。本発明のカレンダ機構付き時計の第３の実施形態における日送り機構の構成、作用は、前述した本発明のカレンダ機構付き時計の第１の実施形態における日送り機構の構成、作用と同様である。
【産業上の利用可能性】
【０１１０】
本発明のカレンダ機構付き時計は、日付のうちの一の位を表示する第一日車と、日付のうちの十の位を表示する第二日車とを含み、大きい文字の日付を確実に表示することができ、しかも、薄型でデザインの制約は少ないカレンダ機構付き時計を製造することができる。本発明のカレンダ機構付き時計は、月末にカレンダ機構を修正しなければならない回数を増すことがなく、操作性が良い。
【符号の説明】
【０１１１】
１００  ムーブメント（機械体）
１０２  地板
１１０  巻真
１０４  文字板
１８０  筒車
２１０  日回し車
２１２  日送り爪
２６４  日車押さえ
２６５  第一日回し中間車
２６６  第二日回し中間車
３２０  香箱車
３２５  二番車
３２６  三番車
３２７  四番車
３２９  分車
３３０  がんぎ車
３４０  てんぷ
３４２  アンクル
５７０  第二日車送りレバー
５１２  第一日車
５１４  第一日ジャンパ
５２２  第二日車
５２３  第二日星車
５２４  第二日ジャンパ
【図１】
2010169582.tif 000003
【図２】
2010169582.tif 000004
【図３】
2010169582.tif 000005
【図４】
2010169582.tif 000006
【図５】
2010169582.tif 000007
【図６】
2010169582.tif 000008
【図７】
2010169582.tif 000009
【図８】
2010169582.tif 000010
【図９】
2010169582.tif 000011
【図１０】
2010169582.tif 000012
【図１１】
2010169582.tif 000013
【図１２】
2010169582.tif 000014
【図１３】
2010169582.tif 000015
【図１４】
2010169582.tif 000016
【図１５】
2010169582.tif 000017
【図１６】
2010169582.tif 000018
【図１７】
2010169582.tif 000019
【図１８】
2010169582.tif 000020
【図１９】
2010169582.tif 000021
【図２０】
2010169582.tif 000022
【図２１】
2010169582.tif 000023
【図２２】
2010169582.tif 000024
【図２３】
2010169582.tif 000025
【図２４】
2010169582.tif 000026
【図２５】
2010169582.tif 000027